【手続補正書】
【提出日】平成21年10月1日(2009.10.1)
【手続補正１】
【補正対象書類名】特許請求の範囲
【補正対象項目名】全文
【補正方法】変更
【補正の内容】
【特許請求の範囲】
【請求項１】
未硬化の感光性組成物の除去に用いられる除去液であって、テルペン系炭化水素を１〜８０質量％、テルペン系炭化水素以外の溶剤を２０〜９９質量％含有する感光性組成物除去液。
【請求項２】
前記テルペン系炭化水素が、二重結合を２個以上含むものであることを特徴とする請求項１に記載の感光性組成物除去液。
【請求項３】
前記テルペン系炭化水素が、ｐ−メンタジエン類であることを特徴とする請求項２に記載の感光性組成物除去液。
【請求項４】
テルペン系炭化水素を５〜８０質量％、テルペン系炭化水素以外の溶剤を２０〜９５％含有することを特徴とする請求項１〜３のいずれかに記載の感光性組成物除去液。
【請求項５】
テルペン系炭化水素が１〜４０質量％、テルペン系炭化水素以外の溶剤が６０〜９９質量％である組成を有し、且つ、テルペン系炭化水素以外の溶剤がプロピレングリコールモノメチルエーテル、３-メトキシプロピオン酸メチル、３−エトキシプロピオン酸エチル、Ｎ，Ｎ−ジメチルホルムアミド、Ｎ，Ｎ−ジメチルアセトアミド、Ｎ−メチル−２−ピロリドン、γ−ブチロラクトン、プロピレングリコールモノメチルエーテルアセテート、シクロヘキサノン、シクロペンタノンおよび酢酸ブチルの少なくとも１種である組成からなる群から選ばれる組成であることを特徴とする請求項１〜３のいずれかに記載の感光性組成物除去液。
【請求項６】
テルペン系炭化水素が５〜４０質量％、テルペン系炭化水素以外の溶剤が６０〜９５質量％である組成を有し、且つ、該テルペン系炭化水素以外の溶剤が、プロピレングリコールモノメチルエーテル、３-メトキシプロピオン酸メチル、３−エトキシプロピオン酸エチル、Ｎ，Ｎ−ジメチルホルムアミド、Ｎ，Ｎ−ジメチルアセトアミド、Ｎ−メチル−２−ピロリドン、γ−ブチロラクトン、プロピレングリコールモノメチルエーテルアセテート、シクロヘキサノン、シクロペンタノンおよび酢酸ブチルのうち少なくとも１種である組成であることを特徴とする請求項１〜４のいずれかに記載の感光性組成物除去液。
【請求項７】
該テルペン系炭化水素以外の溶剤が、鎖状アミド化合物、環状アミド化合物、硫黄化合物、環状エステル等、グリコールエーテル類、グリコールエーテルカルボキシレート類、カルボン酸エステル類、ヒドロキシカルボン酸エステル類、ケトン類、アルコール類、アルコキシカルボン酸エステル類および環状エーテル類からなる群から選ばれる少なくとも１種であることを特徴とする請求項１〜４のいずれかに記載の感光性組成物除去液。
【請求項８】
顔料を含有する感光性組成物の除去に用いられる請求項１〜７のいずれかに記載の感光性組成物除去液。
【請求項９】
顔料を含有するアクリル系感光性組成物の除去に用いられる請求項１〜７のいずれかに記載の感光性組成物除去液。
【請求項１０】
感光前の顔料を含有する感光性組成物の除去に用いられる請求項１〜７のいずれかに記載の感光性組成物除去液。
【手続補正２】
【補正対象書類名】明細書
【補正対象項目名】００２２
【補正方法】変更
【補正の内容】
【００２２】
［５］  テルペン系炭化水素が１〜４０質量％、テルペン系炭化水素以外の溶剤が６０〜９９質量％である組成を有し、且つ、テルペン系炭化水素以外の溶剤がプロピレングリコールモノメチルエーテル、３-メトキシプロピオン酸メチル、３−エトキシプロピオン酸エチル、Ｎ，Ｎ−ジメチルホルムアミド、Ｎ，Ｎ−ジメチルアセトアミド、Ｎ−メチル−２−ピロリドン、γ−ブチロラクトン、プロピレングリコールモノメチルエーテルアセテート、シクロヘキサノン、シクロペンタノンおよび酢酸ブチルの少なくとも１種である組成からなる群から選ばれる組成であることを特徴とする上記［１］〜［３］のいずれかに記載の感光性組成物除去液。
【手続補正３】
【補正対象書類名】明細書
【補正対象項目名】００２８
【補正方法】削除
【補正の内容】
【手続補正４】
【補正対象書類名】明細書
【補正対象項目名】００２９
【補正方法】削除
【補正の内容】
【手続補正５】
【補正対象書類名】明細書
【補正対象項目名】００３０
【補正方法】削除
【補正の内容】
【手続補正６】
【補正対象書類名】明細書
【補正対象項目名】００３１
【補正方法】削除
【補正の内容】
【手続補正７】
【補正対象書類名】明細書
【補正対象項目名】００３６
【補正方法】変更
【補正の内容】
【００３６】
（テルペン系炭化水素の具体例）
具体的には、ミルセン、オシメン等の鎖状モノテルペン、α−テルピネン、β−テルピネン、γ−テルピネン、α−フェランドレン、β−フェランドレン、リモネン、テルピノーレン等の単環式６員環モノテルペンを例示することができるが、本発明はこれらに限定されない。
【手続補正８】
【補正対象書類名】明細書
【補正対象項目名】００３８
【補正方法】変更
【補正の内容】
【００３８】
（好ましいテルペン系炭化水素）
これらの中でも、特に二重結合を２個以上有する炭化水素であって、且つアルキル基を有するテルペン系炭化水素（例えば、メンタジエン類）を用いることが更に望ましい。アルキル基は、直鎖状であっても分岐状であってもよく、また、２個以上の基が連結して環状構造をなしていてもよい。このようなメンタジエン類の具体的な例としては、１，３−ｐ−メンタジエン、１，４−ｐ−メンタジエン、１，４（８）−ｐ−メンタジエン、１，８−ｐ−メンタジエン等のｐ−メンタジエン類が、感光性組成物の除去性能、特に、顔料を含有する感光性組成物の除去性能が高く、更に、感光性組成物除去に適した乾燥性を有する点から好ましい。
【手続補正９】
【補正対象書類名】明細書
【補正対象項目名】００４０
【補正方法】変更
【補正の内容】
【００４０】
（テルペン系炭化水素の含有量）
本発明の除去液には、上記テルペン系炭化水素が（「テルペン系炭化水素」＋「テルペン系炭化水素以外の溶剤」の合計質量を基準として）１質量％〜８０質量％含有される。該テルペン系炭化水素の含有量は、５質量％〜８０質量％であることが好ましく、５質量％〜４０質量％であることが更に好ましい。テルペン系炭化水素の含有量が１質量％以上であれば、感光性組成物除去性能、特に、顔料を含む感光性組成物における顔料の分散除去性能が発揮される。一方、該含有量が８０質量％以下であれば、感光性組成物に含まれる樹脂成分の溶解性能が低下することがなく、結果として感光性組成物の除去性能低下を招くことがないため好ましい。
【手続補正１０】
【補正対象書類名】明細書
【補正対象項目名】００４２
【補正方法】変更
【補正の内容】
【００４２】
（テルペン系炭化水素以外の溶剤の具体例）
テルペン系炭化水素以外の溶剤（以下「その他の溶剤」という）の具体例としては、例えば、以下のものが挙げられる。
【手続補正１１】
【補正対象書類名】明細書
【補正対象項目名】００４７
【補正方法】変更
【補正の内容】
【００４７】
（５）酢酸エチル、酢酸ｎ−プロピル、酢酸イソプロピル、酢酸ｎ−ブチル、酢酸ｓｅｃ−ブチル、酢酸イソブチル、酢酸アミル、酢酸ヘキシル、酢酸シクロヘキシル、プロピオン酸ブチル、プロピオン酸アミル、酪酸プロピル、酪酸ブチル、安息香酸メチル、安息香酸エチル、蓚酸ジメチル、蓚酸ジエチル、コハク酸ジメチル、マレイン酸ジメチル、マレイン酸ジエチル等のカルボン酸エステル類；炭酸エチレン、炭酸プロピレン等の炭酸エステル類；乳酸メチル、乳酸エチル、乳酸ブチル、α−ヒドロキシイソ酪酸メチル、２−ヒドロキシプロピオン酸メチル、２−ヒドロキシプロピオン酸エチル等のヒドロキシカルボン酸エステル類；
【手続補正１２】
【補正対象書類名】明細書
【補正対象項目名】００５０
【補正方法】変更
【補正の内容】
【００５０】
（８）２−メトキシ酢酸メチル、２−エトキシ酢酸エチル、３−エトキシプロピオン酸エチル、３−メトキシプロピオン酸メチル、３−メトキシプロピオン酸エチル、３−エトキシプロピオン酸メチル、２−ヒドロキシプロピオン酸プロピル、２−メトキシプロピオン酸エチル、２−エトキシプロピオン酸プロピル、２−エトキシプロピオン酸メチル、２−エトキシプロピオン酸エチル、β−メトキシイソ酪酸メチル等のアルコキシカルボン酸エステル類；
【手続補正１３】
【補正対象書類名】明細書
【補正対象項目名】００５５
【補正方法】変更
【補正の内容】
【００５５】
（洗浄液の組成）
本発明の洗浄液は、テルペン系炭化水素が１〜８０質量％、その他の溶剤が２０〜９９質量％の組成を有する。本発明の洗浄液は、テルペン系炭化水素が５〜８０質量％、その他の溶剤が２０〜９５質量％であることがより好ましく、テルペン系炭化水素が５〜４０質量％、その他の溶剤が６０〜９５質量％であるであることが更に好ましい。テルペン系炭化水素は二重結合を２個以上含むものが好ましく、より好ましくは、１，３−ｐ−メンタジエン、１，４−ｐ−メンタジエン、１，４（８）−ｐ−メンタジエン、１，８−ｐ−メンタジエン等のｐ−メンタジエン類のうち少なくとも１種から選ぶことが好ましい。他方、「その他の溶剤」は、プロピレングリコールモノメチルエーテル、３-メトキシプロピオン酸メチル、３−エトキシプロピオン酸エチル、Ｎ，Ｎ−ジメチルホルムアミドおよびＮ，Ｎ−ジメチルアセトアミド、Ｎ−メチル−２−ピロリドン、γ−ブチロラクトン、プロピレングリコールモノメチルエーテルアセテート、シクロヘキサノン、シクロペンタノン、酢酸ブチルのうち少なくとも１種から選ぶことが好ましい。